(57)【要約】【課題】回転ドア装置において、天井面、床面、筒壁体の筒壁面の各面と、これらにそれぞれ対向する仕切り体の各側縁部とのあいだの封止性を向上する。【解決手段】天井面Ｒ、床面Ｆ、筒壁体２の筒壁面２ａの各面にそれぞれ対向する仕切り体の側縁部４ａ、４ｂ、４ｃのうち、床面Ｆに対向する下側縁部４ｂに、床面Ｆに摺接する第二気密材７を設けるにあたり、下側縁部４ｂに上下方向に長い支持孔８ｃが形成される取り付け金具８を設け、第二気密材７を構成する第二長軸体７ａを、前記支持孔８ｃに遊嵌状に支持させて、第二気密材７が自重で床面Ｆに摺接する構成とする。【選択図】図４
2007291615.tif 000002
【特許請求の範囲】
【請求項１】
天井面と床面とのあいだに設けられ、出入り口部が形成された筒壁体内を、筒中心から放射状に仕切る仕切り体を備えてなる回転ドア装置において、天井面、床面、筒壁体の筒壁面の各面にそれぞれ対向する仕切り体の側縁部のうち、少なくとも一側縁部に設けられる気密材は、前記対向面の変位に合わせた対向面方向の変位が自在な状態で設けられている回転ドア装置。
【請求項２】
気密材は、側縁部に対し回転自在に設けられている請求項１に記載の回転ドア装置。
【請求項３】
気密材は、仕切り体の側縁部に沿って配される長軸体と、該長軸体の外周に一体的に配される気密体とにより円柱形に構成され、仕切り体の下側縁部に設けられる気密材は、長軸体を、側縁部に設けた上下方向長孔状の支持孔に遊嵌状に支持して自重に基づいて変位するように構成した請求項１または２に記載の回転ドア装置。
【請求項４】
気密材は、側縁部の長尺方向複数に分割され、これら分割された気密材がそれぞれ対向面の変位に合わせた対向面方向の変位が自在な状態で設けられている請求項１乃至３の何れか一項に記載の回転ドア装置。
【請求項５】
気密材は、側縁部の長尺方向複数に分割され、これら分割された気密材がそれぞれ側縁部に対して回転自在に設けられている請求項１乃至４の何れか一項に記載の回転ドア装置。
【発明の詳細な説明】
【技術分野】
【０００１】
本発明は、オフィスビルや病院等、建築物の出入り口部に設けられる回転ドア装置の技術分野に属するものである。
【背景技術】
【０００２】
一般に、この種回転ドア装置においては、天井面と床面とのあいだに設けられ、出入り口部が形成された筒壁体の軸芯部に、複数の仕切り体が放射状に配された回転支軸を回転自在に支持することにより構成されている。前記回転ドア装置は、回転支軸を回転中心として回転する複数の仕切り体により、筒壁体に形成された出入り口部を常に閉鎖状態として、屋内外方向に連通して通風を遮断しながら出入り口部の開閉ができるように構成することができる。このため、回転ドア装置は、屋内の温度管理を容易にする機能や、風害を防止する機能を備えることになるが、これらの機能を向上させるには、仕切り体と、天井面、床面、筒壁面とのあいだに形成される隙間をできる限り封止することが必要となる。
【０００３】
この改善策として、天井面、床面、筒壁面にそれぞれ対向する仕切り体の側縁部に沿って、対向面に摺接する長さに設定されたブラシ状の気密材を一体的に設けるようにしたものが提唱されている。
【特許文献１】特開２００２−３８８３４
【発明の開示】
【発明が解決しようとする課題】
【０００４】
ところで、天井面、床面とは各面の水平レベルが一定となるように、また、筒壁面は径寸法が一定となるように形成されてはいるが、これらを寸法精度よく形成することは難しく、それぞれの面において寸法誤差が生じているのが実情である。これに対し、前記従来の気密材は、各側縁部に気密材を一体的に固定支持する構成となっている。このものにおいて、例えば、仕切り体の下側縁部に気密材を設ける場合に、ブラシ状の先端部が床面に当接する長さに設定して取り付けるが、前述したように、床面の水平レベルが一定でなく、水平レベルの低いところと高いところがある場合では、低い箇所にあわせて気密材の長さを設定すると、水平レベルの高い箇所で気密材の先端部が床面に強く当接して、気密材の摩耗が激しくなるばかりでなく、床面を汚損したり、仕切り体の回転に対して負荷が発生するという問題が生じ、一方、水平レベルの高い箇所に合わせて気密材の長さを設定すると、水平レベルの低い箇所で床面とのあいだに隙間が形成され、封止性が劣るという問題が生じることになる。このため、両者の中庸をとるのが難しいばかりでなく、充分な封止性を確保できないという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、天井面と床面とのあいだに設けられ、出入り口部が形成された筒壁体内を、筒中心から放射状に仕切る仕切り体を備えてなる回転ドア装置において、天井面、床面、筒壁体の筒壁面の各面にそれぞれ対向する仕切り体の側縁部のうち、少なくとも一側縁部に設けられる気密材は、前記対向面の変位に合わせた対向面方向の変位が自在な状態で設けられている回転ドア装置である。
請求項２の発明は、気密材は、側縁部に対し回転自在に設けられている請求項１に記載の回転ドア装置である。
請求項３の発明は、気密材は、仕切り体の側縁部に沿って配される長軸体と、該長軸体の外周に一体的に配される気密体とにより円柱形に構成され、仕切り体の下側縁部に設けられる気密材は、長軸体を、側縁部に設けた上下方向長孔状の支持孔に遊嵌状に支持して自重に基づいて変位するように構成した請求項１または２に記載の回転ドア装置である。
請求項４の発明は、気密材は、側縁部の長尺方向複数に分割され、これら分割された気密材がそれぞれ対向面の変位に合わせた対向面方向の変位が自在な状態で設けられている請求項１乃至３の何れか一項に記載の回転ドア装置である。
請求項５の発明は、気密材は、側縁部の長尺方向複数に分割され、これら分割された気密材がそれぞれ側縁部に対して回転自在に設けられている請求項１乃至４の何れか一項に記載の回転ドア装置である。
【発明の効果】
【０００６】
請求項１の発明とすることにより、対向面に凹凸があるような場合であっても、気密材が対向面に追随して変位し、対向面との摺動抵抗を大きくすることなく封止性を高めることができる。
請求項２の発明とすることにより、気密材と対向面との摺動抵抗を一層小さくでき、仕切り体の回転作動に負荷を与えないようにできる。
請求項３の発明とすることにより、簡単な構成のものでありながら、気密材が対向面に追随して変位して封止性を高めることができ、しかも、対向面との摺動抵抗を一層低減できる。
請求項４、５の発明とすることにより、気密材の対向面との追随性が向上し、対向面に対する摺動抵抗のさらなる低減を図れる。
【発明を実施するための最良の形態】
【０００７】
つぎに、本発明の第一の実施の形態について、図面に基づいて説明する。
図面において、１は建築物に設けられた回転ドア装置であって、該回転ドア装置１を構成する筒壁体２は、床面Ｆと天井面Ｒとのあいだに円筒状空間を構成している。そして、筒壁体２は、径方向に対向する屋内外部位に位置して一対の出入り口部２ａ、２ｂが形成されており、これら出入り口部２ａ、２ｂは、建築物の屋内外を連絡する開口部に設定されている。
【０００８】
３は筒壁体２の軸芯部（筒中心）に位置し、天井面と床面とのあいだに回転自在に立設される回転支軸であって、該回転支軸３の外周には三枚の仕切り体４が放射方向に延出する状態で一体的に固定されている。尚、回転支軸３に設けられる仕切り体４は、三枚に限定されることはなく、筒状空間の大きさや、設置条件等に対応して適宜枚数（例えば二枚、四枚等）にすることが可能である。
【０００９】
前記三枚の仕切り体４は、回転支軸３を中心として前記円筒状空間を周回り方向に三等分割するように配設されており、円筒状空間に三つのコンパートメントを形成している。このように、円筒空間に三枚の仕切り体４を備えた回転支軸３を設けることにより、出入り口部２ａ、２ｂは連通状に開放されることなく、常時通風を遮断しながら開閉するように構成されている。
そして、本実施の形態の回転ドア装置１は、図示しない開閉機の駆動により回転作動する電動式であって、通行者が屋内外何れか一方の出入り口部２ａ、２ｂから任意のコンパートメントに進入しようとすることに伴い、回転支軸３と三枚の仕切り体４との一体回転が始動するように構成されており、コンパートメントに進入した通行者は、回転する仕切り体４とともに前記コンパートメント内を歩行することで他方の出入り口部２ｂ、２ａに達し、これによって、屋内外の出入りができるように構成されている。
【００１０】
前記三枚の仕切り体４は、矩形状のガラス体Ｇと、該ガラス体Ｇの四周を囲繞する金属製の四周枠体とにより構成されている。そして、天井面Ｒに対向する上枠体および内外径側枠体の上端部とで構成される仕切り体４の上側縁部４ａ、床面Ｆに対向する下枠体および内外径側枠体の下端部とで構成される仕切り体４の下側縁部４ｂ、筒壁体２の内側面となる筒壁面２ａに対向する外径側枠体で構成される仕切り体４の外径側縁部４ｃとは、各対向面である天井面Ｒ、床面Ｆ、筒壁面２ｃとのあいだに隙間が形成されており、これら隙間を封止するための気密材が各側縁部４ａ、４ｂ、４ｃに設けられている。
【００１１】
前記各側縁部４ａ、４ｂ、４ｃのうち、天井面Ｒと筒壁面２ｃに対向する上側縁部４ａと外径側縁部４ｃとは、それぞれの対向面Ｒ、２ｃ側に蟻溝状の開口４ｄが形成されるとともに、溝底となる第一支持プレート４ｅが固定された凹溝状に形成されており、該第一支持プレート４ｅに、それぞれアルミ型材で形成された長尺状で、保持凹部５ａが長尺方向に長く形成された気密材支持体５が一体的に設けられている。６は上側縁部４ａと外径側縁部４ｃとに設けられる第一気密材であって、該第一気密材６は、各側縁部４ａ、４ｃの長手方向に沿う第一長軸体（鉄心）６ａと、該第一長軸体６ａに固定（植設）され、対向面Ｒ、２ｃ方向に突出する気密体６ｂ（例えば束状の馬毛）とにより帯形のブラシ状に形成された汎用のものが用いられている。そして、第一気密材６は、第一長軸体６ａの長尺方向一端部を、気密材支持体５の凹部５ａの長尺方向他端部にあてがうとともに、第一長軸体６ａ直下の気密体６ｂの長尺方向一端部を部位を各側縁部４ａ、４ｂの開口４ｄの長尺方向一端部にあてがい、第一気密材６を長尺方向一端側にスライドさせることにより、第一長軸体６ａが凹部５ａに保持され、気密体６ｂの先端が対向面Ｒ、２ｃ側に突出する状態で取り付けられるように設定されている。
尚、第一気密材６の気密体６ｂは、先端部がそれぞれ天井面Ｒ、筒壁面２ｃに当接する長さとなるように設定されており、仕切り体４の回転に伴い気密体６ｂの先端部が各対向面Ｒ、２ｃに摺接して封止するように設定されている。
【００１２】
そして、各仕切り体４の床面Ｆに対向する下側縁部４ｂには本発明が実施された第二気密材７が設けられている。
つまり、下側縁部４ｂは、対向面Ｆ側に開口４ｆが形成されるとともに、溝底となる第二支持プレート４ｇが固定された凹溝状に形成されている。さらに、下側縁部４ｂの長手方向両端部（径方向両端部）には、一対の取り付け金具８が設けられるが、各取付け金具８は、上方が開口する断面Ｕ字形の本体部８ａの上端部に一対の取り付け片８ｂが下側縁部４ｂの板厚方向に折曲して形成されており、これら取り付け片８ｂを第二支持プレート４ｇに固定することにより、本体部８ａ上端部の開口が第二支持プレート４ｇにより塞がれて、上下方向に長孔状の支持孔８ｃを形成するように設定されている。このとき、取り付け金具８は、本体部８ａの下端部が、下側縁部４ｂの下端縁よりも僅かに下方に突出するように設定されている。
【００１３】
一方、第二気密材７は、下枠体４ｂの長手方向に沿う第二長軸体７ａと、該第二長軸体７ａの外周面の周回り方向一帯に固定（植設）される気密体７ｂ（例えば束状の馬毛）とにより円柱形のブラシ状に形成されており、第二長軸体７ａの両端部を、前記取り付け金具８により形成された支持孔８ｃに遊嵌状に挿通支持させることで下側縁部４ｂに取り付け支持されている。この取り付け状態において、第二気密材７は、第二長軸体７ａが支持孔８ｃ内において上下方向変位自在なことから、下側縁部４ｂに対して上下方向移動自在となり、かつ、第二長軸体７ａが支持孔８ｃ内において回転自在なことから、下側縁部４ｂに対して回転自在に取り付けられている。ここで、第二気密材７の外径は、下側側縁４ｂの溝幅に内装可能な大きさに設定されている。
【００１４】
さらに、前記取り付け状態、即ち、回転ドア装置１の通常の使用状態（自然状態）において、第二気密材７は、第二長軸体７ａが支持孔８ｃの上下方向中間部において遊嵌する状態で、下端部が床面Ｆに当接するように設定されており、これによって、第二気密材７は、自重に基づいて床面Ｆに当接する状態となるように設定されている。そして、床面Ｆの水平レベルが一定でなく凹凸、例えば傾斜状になっているような場合に、仕切り体４の回転に伴い、第二気密材７が自重に基づいて床面Ｆの傾斜に追随して、第二長軸体７ａの両端部が上下方向に変位することにより傾斜状となり、これによって、床面Ｆとの封止性の向上を図ることができながら、第二気密材７により床面Ｆが強く擦られるような箇所を発生させることがないように構成されている。しかもこの場合に、第二気密材７は、第二長軸体７ａが支持孔８ｃに対して回転自在となっており、仕切り体４の回転走行に伴い第二気密材７が回転しながら床面Ｆを走行することになり、これによって、第二気密材７と床面Ｆとの当接に伴う摩擦力を一層低下することができて、第二気密材７が床面Ｆを強く擦って床面汚損させたり、仕切り体４の回転作動に負荷を与えるようなことがないように構成されている。
【００１５】
叙述の如く構成された本形態において、回転ドア装置１は、図示しない開閉機の駆動に伴い、回転支軸３と三枚の仕切り体４とが一体に回転し、筒壁体２に形成された出入り口部２ａ、２ｂを用いた屋内外の出入りができる一方で、出入り口部２ａ、２ｂの通風を遮断して、屋内の温度管理機能、風害防止機能等の封止性を備えることによる機能を発揮できるが、この場合に、仕切り体４の上側縁部４ａおよび外径側縁部４ｃには第一気密材６が設けられ、下側縁部４ｂには第二気密材７が設けられているので、これら側縁部４ａ、４ｂ、４ｃと、これに近接対向する天井面Ｒ、筒壁面２ｃ、床面Ｆとのあいだに形成された隙間を封止することができて、封止性を一層高めることができる。しかも、この場合に、第二気密材７は、第二長軸体７ａを取り付け金具８に形成される上下方向長孔状の支持孔８ｃに遊嵌させることで、下側縁部４ｂに対して上下方向変位自在となっている。この結果、床面Ｆの水平レベルが一定でなく傾斜状であるような場合、例えば、筒中心から径方向に向けて傾斜しているような場合では、該床面Ｆ上の仕切り体４の下側縁部４ｂと床面Ｆとのあいだに上下方向幅の異なる隙間が形成されることになるが、第二気密材７は、第二長軸体７ａが支持孔８ｃ内において適宜上下動することにより、第二気密材７が床面Ｆに追随して径方向に傾斜し、気密体７ｂの先端が床面Ｆに当接する状態を保持することができ、もって、屋内外の封止性を高めることができる。さらに、このものでは、第二気密材７が床面Ｆの変位に合わせて変位するので、床面Ｆを強く擦ってしまうような不具合をなくすことができて、封止性に優れたものでありながら、床面Ｆを汚損することのない、優れた気密材とすることができる。
【００１６】
そのうえ、本発明が実施されたものにおいて、第二気密材７は、第二長軸体７ａの外周面の周回り方向一帯に気密体７ｂが植設されて円柱状に形成し、第二長軸体７ａを支持孔８ｃに遊嵌状に支持する構成としたので、簡単な構成でありながら、封止性の向上を図ることができる。そのうえ、第二気密材７は、自重により床面Ｆの水平レベルに沿って上下方向に変位する構成としたので、第二気密材７の変位作動が軽快、かつ、円滑になされて、床面Ｆとの摺動抵抗を一層小さくすることができ、仕切り体４の回転作動に対する負荷を小さくすることが可能となる。この結果、手動で仕切り体を回転させる手動式の回転ドア装置に、第二気密材７を用いる構成とした場合では、仕切り体を回転させるための操作力を低減することが可能となる。
そのうえ、仕切り体４が回転作動した場合では、仕切り体４の走行にあわせて第二長軸体７ａが支持孔８ｃ内において自由に回転しながら走行するので、床面Ｆの確実な封止ができるものでありながら、床面Ｆとの摺動抵抗を一層低減することができる。
【００１７】
尚、本発明は前記実施の形態に限定されないことは勿論であって、図５および図６に示す第二の実施の形態のように構成することもできる。
前記第二の実施の形態は、前記第一の実施の形態と同様の基本構成で構成されており、仕切り体４の下側縁部４ｂに、本発明が実施された第三気密材９が設けられている。
前記仕切り体下側縁部４ｂには、前記第一の実施の形態と同様の構成の取り付け金具８が両端部に設けられている。
【００１８】
一方、前記第三気密材９は、前記下側縁部４ｂに設けられた一対の取付け金具８の支持孔８ｃに両端部が遊嵌状に支持される第三長軸体９ａに、該第三長軸体９ａに遊嵌状に外嵌する内径を有し、前記一対の取付け金具８の対向間を複数に分割した長さに設定され、外周面一帯に気密体９ｂ（馬毛）が固定されて円柱形のブラシ状に形成された分割気密材９ｃを複数外嵌させることにより構成されている。
これによって、床面Ｆの水平レベルが径方向において一定でないような場合において、第三気密材９を構成する各分割気密材９ｃは、第三長軸体９ａに対して大径な内径を有していることから、第三長軸体９ａの外径と各分割気密材９ｃの内径との差に相当する距離において上下方向の変位が自在となっており、各分割気密材９ｃの自重に基づいて各分割気密材９ｃに対向する床面Ｆのレベルに応じ、それぞれのものが床面Ｆに追随する状態で自由に上下方向に変位することになり、もって、仕切り体４と床面Ｆとのあいだの封止性を一層向上させることができる。
【００１９】
ところで、仕切り体４が回転支軸３を回転中心として回転する場合に、仕切り体の内径側部位と外径側部位とでは、床面Ｆに対する走行速度が異なる。このため、第三気密材９のように長尺方向に分割された気密材を、第二の実施の形態のように仕切り体下側縁部４ｂに設けた場合では、長尺方向複数に分割された分割気密材９ｃが、それぞれが相対回転自在な状態となって、内径側に位置する分割気密材９ｃと外径側に位置する分割気密材９ｃとがそれぞれ別個に回転することができ、各分割気密材９ｃの回転速度をそれぞれ仕切り体４の内径側、外径側における走行速度に合わせた回転がなされて、床面Ｆとの摩擦を一層低減して、仕切り体の回転作動を一層軽快にすることができる。
この結果、第三気密材９のように長尺方向に分割された気密材は、第二の実施の形態のように仕切り体下側縁部４ｂや、仕切り体の上側縁部のように、内径部位と外径部位とで走行速度が異なるような側縁部に設けることにより、対向面に対する追随性を一層高めることができるとともに、対向面とのあいだの摩耗を一層低減することが可能となる。
因みに、第三気密材９の第三長軸体９ａの外径と各分割気密材９ｃの内径を略同径であるが相対回転自在となる構成とすることもでき、この場合では、各分割気密材９ｃは上下方向の変位は一体となって変位するが、それぞれが回転自在であるので、内径側と外径側とで走行速度が異なるような場合において、摺動抵抗を低減させることができる。
【００２０】
さらに、図７に示す第三の実施の形態のようにすることもできる。
前記第三の実施の形態において、仕切り体４の下側縁部４ｂには、前記第一の実施の形態と同様の構成の取り付け金具８が両端部に設けられ、これらのあいだに、前記取付け金具８よりも長尺方向長さの短い第二取り付け金具１０が適間隔を存して複数設けられている。これによって、仕切り体下側縁部４ｂに、長孔形状の支持孔１０ａが長尺方向複数箇所に配設されている。
一方、下側縁部４ｂに設けられる第四気密材１１は複数の分割気密材１１ａにより構成されており、各分割気密材１１ａは、隣接する取り付け金具８、１０に形成される支持孔８ａ、１０ａに両端部が遊嵌可能な長さに設定された第四長軸体１１ｂと、該第三長軸体１１ｂの外周面一帯に固定される気密体１１ｃ（馬毛）とにより円柱形のブラシ状に形成されている。そして、これら分割気密材１１ａを、隣接する取付け金具８、１０に遊嵌させることにより、各分割気密材１１ａが、個別に上下方向移動自在、かつ、回転自在な状態で取り付けられており、これによって、床面Ｆの封止性を一層向上することができるうえ、床面Ｆ走行時における摩擦を一層低減することができる。
【００２１】
また、前記各実施の形態は、仕切り体の下側縁部にのみ設ける構成としたが、仕切り体の他の側縁部、即ち、天井面に対向する上側縁部、筒壁体の筒壁面に対向する外径側縁部において、気密材をこれら対向面方向に変位自在に設ける構成としてもよい。
例えば、天井面に対向する上側縁部に気密材を上下方向移動自在に設けるには、前記第一の実施の形態のような第二気密材を、上側縁部に上下方向逆転した状態の前記取り付け金具の支持孔に遊嵌状に設けるとともに、支持孔と第二長軸体とのあいだに介装した付勢弾機により、第二気密材を天井面側に向けて付勢する構成とすればよい。この場合、第二気密材は、自重ではなく、弾機付勢力に基づいて天井面に摺動することになり、付勢弾機の調整を適宜行うことにより、天井面とのあいだの封止性を高めながら、第二気密材による天井面の汚損を防ぐことができる。また、筒壁面に対向する外径側縁部に気密材を径方向移動自在に設けるには、前記上側縁部に設ける場合と同様に付勢弾機の付勢力により筒壁面を摺動させる構成とすることができる。この場合、仕切り体の外径側縁部が出入り口部対向部位から筒壁体対向部位に移行するとき、強く出入り口部に当接することが考えられるが、この問題については、出入り口部に外径側に向けて傾斜する気密材ガイドを設けることで解決することができる。
さらに、気密材としては、前記実施の形態に示すように、長軸体の外周面に、馬毛からなる気密体を円柱形のブラシ状に配したものに限定されることはなく、馬毛を長軸体に帯形に設けたブラシ状の気密材を設ける構成としてもよい。この場合では、長軸体を側縁部に対して対向面方向に変位自在、かつ、揺動自在に設けることで、仕切り体の回転作動に追随して対向面に対して円滑な摺動を実現することが可能となる。
また、気密体として、円柱状に形成された発泡性樹脂材、ゴム質弾性材等を用いる構成としてもよい。
【図面の簡単な説明】
【００２２】
【図１】図１（Ａ）、（Ｂ）はそれぞれ回転ドア装置の正面図、平面断面図である。
【図２】第一気密材の配設状態を説明する断面図である。
【図３】第二気密材の配設状態を説明する正面図である。
【図４】図４（Ａ）、（Ｂ）はそれぞれ第二気密材の配設状態を説明する断面図、第二気密材の取り付け状態を説明する分解斜視図である。
【図５】第二の実施の形態における第三気密材の配設状態を説明する正面図である。
【図６】図６（Ａ）、（Ｂ）はそれぞれ第三気密材の配設状態を説明する断面図、第三気密材の取り付け状態を説明する分解斜視図である。
【図７】第三の実施の形態における第四気密材の取り付け状態を説明する分解斜視図。
【符号の説明】
【００２３】
１    回転ドア装置
２    筒壁体
３    回転支軸
４    仕切り体
４ｂ    下側縁部
６    第一気密材
７    第二気密材
７ａ    第二長軸体
７ｂ    気密体
８    取り付け金具
【図１】
2007291615.tif 000003
【図２】
2007291615.tif 000004
【図３】
2007291615.tif 000005
【図４】
2007291615.tif 000006
【図５】
2007291615.tif 000007
【図６】
2007291615.tif 000008
【図７】
2007291615.tif 000009